(57)【要約】【課題】  型枠を高速で回転し、遠心力を利用して締固めるコンクリート管にあって、管に配筋する円筒状かご筋に竹材を使用した、遠心力竹筋コンクリート管の提供。【解決手段】  遠心力コンクリート管の円筒状かご筋である螺旋筋１と軸方向筋２に竹材を用いる。螺旋筋１と軸方向筋２の交点は、なまし鉄線３で緊結し、竹筋のコンクリートかぶりを確保する為の、プラスチックスペーサー４を配置してなる遠心力竹筋コンクリート管。【選択図】  図１
2005022393.tif 000002
【特許請求の範囲】
【請求項１】
型枠を高速で回転し、遠心力を利用して締固めるコンクリート管にあって、配筋を竹材で組んだ遠心力竹筋コンクリート管。
【請求項２】
請求項１記載の径の異なる複数の遠心力竹筋コンクリート管で構築されるコンクリート魚礁ブロックであって、大径のコンクリート管の側面に穿孔を開け、この孔に小径のコンクリート管を挿入してなる魚礁ブロック。
【発明の詳細な説明】
【発明の詳細な説明】
【技術分野】
【０００１】  この発明は、遠心力竹筋コンクリート管とそれを用いたコンクリート魚礁ブロックの構築方法に関するものである。
【背景技術】
【０００２】  従来、遠心力コンクリート管及びコンクリート魚礁において、補強材としての配筋は鉄筋を組んだものが一般的でり、海水浸透による鉄筋の腐食の問題、さらに、これまでの魚礁が空間構成の複雑さ、それに伴う施工性、工期、工費の面など改良すべき点があった。従来例の一例として、特許第１０２６０７７号の人工魚礁などがある。
【発明が解決しようとする課題】
【０００３】  この発明の目的は、前記、従来例に示す遠心力コンクリート管及びコンクリート魚礁の配筋に、鉄筋の代替として竹筋を使用して海水浸透による鉄筋腐食の問題を解消し、さらに、径の異なる複数の遠心力竹筋コンクリート管を組合わせて、構造上安全で単純な円筒空間の魚礁ブロックを提供する事により、従来の魚礁の複雑な空間構成を解消する事を課題とする。
【課題を解決する為の手段】
【０００４】  この発明は、前記目的を達成する為に、請求項１の発明は遠心力竹筋コンクリート管に関するもので、螺旋筋と軸方向筋で構成される円筒状のかご筋を、竹材で組み編んで補強材とし、それを円筒鋼製型枠に挿入し、さらに所量の普通コンクリートを投入して、型枠を回転させて遠心成形した遠心力竹筋コンクリート管である。
【０００５】  また、請求項２の発明は、上記、遠心力竹筋コンクリート管を用いて、コンクリート魚礁ブロックを構築する手法であり、大径の遠心力竹筋コンクリート管の軸線と直角方向に１乃至２個の貫通孔を穿孔し、その孔に小径の遠心力竹筋コンクリート管を差し込んで貫通させて組合わせ、貫通間隙部に堅木の楔を打ち込んで固定した魚礁ブロックで、１個の大径管と１個の小径管が直交に交叉する＋型、または、１個の大径管と２個の小径管が直交に交叉するキ型の円筒空間を構成したコンクリート魚礁ブロックである。
【０００６】  この発明において、遠心力竹筋コンクリートに使用する竹筋は、孟宗竹または真竹等が一般的でその他の竹も制限なく使用出来る。竹の長さ及び径に制限はなく、竹横断面を長手方向に割り裂いて、０．５〜２ｃｍ幅の竹材を加工する。この竹材を用いて竹筋となる螺旋筋及び軸方向筋を組む。螺旋筋は５〜３０ｃｍ間隔で、軸方向筋は管外周に対し５〜３０ｃｍ間隔で配置し、螺旋筋と軸方向筋の交点はなまし鉄筋で緊結して、円筒形の竹筋かごを組み立てる。さらに、竹筋のコンクリートかぶりを確保する為に、螺旋筋と軸方向筋の交点にプラスチックスペイサーを装着する。その位置は、竹筋かごの両端より３００〜５００ｍｍ入った所、及び、竹筋かご中央部の円周方向に３〜５個所、合計９〜１５個所装着する。
【０００７】  コンクリートは普通コンクリートで、セメントとしては普通ポルトランドセメントや高炉セメント等の水硬性セメントが制限なく使用される。骨材は天然や人工の普通骨材で、比重は２．５〜２．８程度のもので、細骨材は粒径が５ｍｍ以下、好ましくは５〜０．１５ｍｍのものが好適である。粗骨材は粒径が５ｍｍ以上、好ましくは５〜２５ｍｍのものが好適である。減水剤は、公的なものが特に制限なく使用出来、ＡＥ減水剤、高性能減水剤、高性能ＡＥ減水剤等が挙げられる。
【０００８】  普通コンクリートの製造は、前記したセメント１００重量部に対して、水４０〜５５重量部を混合してミキサで混練りすることにより行うのが良好である。スランプは５〜１５ｃｍのものが好ましい。通常、こうした普通コンクリートは、セメント１００重量部に対して、細骨材２００〜５００重量部、粗骨材３００〜６００重量部、減水剤０．１〜１．０重量部が混合してなされる。
【０００９】  遠心力竹筋コンクリート管の製造は、内面に油性または水性の脱型剤が塗布された内径２００〜４０００ｍｍ、長さ１０００〜３０００ｍｍの円筒鋼製型枠に、型枠内径より２５〜５００ｍｍ小さい前記円筒形竹筋かごを挿入し、さらにミキサより排出された前記普通コンクリートを、管厚が２５〜５００ｍｍ程度になる量を投入して型枠を遠心回転させる。回転は初速、中速、高速の３段階で行う。回転数及び回転時間は初速で３００〜５００ｒｐｍ、４〜１０分間、中速で５００〜８００ｒｐｍ、０．１〜３．０分間、高速で９００〜１５００ｒｐｍ、４〜１５分間で行って遠心成型する。成型した管は、最高温度６５℃の常圧蒸気養生を行って硬化促進を行う。
【０００１０】  この発明の遠心力竹筋コンクリート管は、内径１５０〜３０００ｍｍで、大径管は１０００〜３０００ｍｍ、小径管は１５０〜９００ｍｍ、長さは１０００〜３０００ｍｍである。この遠心力竹筋コンクリート管の大小径管を組合わせて魚礁空間を形成しコンクリート魚礁ブロックを築造する。
【発明を実施するための最良の形態】
【０００１１】  竹筋かごの組立図を図１に、魚礁空間の構成方法及び代表的態様を図２〜図４に示す。図１において、１は竹材を用いた螺旋筋、２は竹材を用いた軸方向筋、３は螺旋筋と軸方向筋の交点を緊結するなまし鉄線、４は螺旋筋と軸方向筋の交点に嵌め込まれたプラスチックスペイサーで、管両端から３００〜５００ｍｍ入った位置および管長中央部の円周方向に３〜５箇所、合計９〜１５箇所装着する。図２において、５は大径の遠心力竹筋コンクリート管である。７は管軸線に直角方向に穿孔された貫通孔である。この貫通孔は１乃至２個あける。図３は、図２で示した貫通孔に、小径の遠心力竹筋コンクリート管６を挿入貫通させて組合わせ、貫通間隙部に堅木の楔８を打ち込んで固定した魚礁ブロックで、１個の大径管と１個の小径管が直交に交叉する＋型の円筒空間を構成した魚礁ブロックの代表的態様である。図４は、１個の大径管と２個の小径管が直交に交叉するキ型の円筒空間を構成した魚礁ブロックの代表的態様である。かくして製作された魚礁ブロックを、１個〜複数個海水に沈設して魚礁を構成する。
【発明の効果】
【０００１２】  以上説明したように、この発明によれば、遠心力コンクリート管に、補強用かご筋として竹筋を用いることにより、海水による腐食の問題を解決し、また、天然資源の有効利用を図る事により、環境保全に貢献する事が出来る。
【０００１３】  さらに、複数の遠心力竹筋コンクリート管を組合わせて、単純な円筒魚礁空間を構築することにより、施工性、工期、工費の面で改善を図る事が出来、産業上極めて有効である。
【図面の簡単な説明】
【図１】  この発明の遠心力竹筋コンクリート管に用いる、竹材で組んだ竹筋組立図。
【図２】  遠心力竹筋コンクリート管の大小径管を組合わせる為の穿孔図。
【図３】  この発明の遠心力竹筋コンクリート管を組合わせて構成される＋型魚礁ブロックの、代表的態様を示す図。
【図４】  この発明の遠心力竹筋コンクリート管を組合わせて構成されるキ型魚礁ブロックの、代表的態様を示す図。
【符号の説明】
１  竹材で組んだ螺旋筋
２  竹材で組んだ軸方向筋
３  螺旋筋と軸方向筋の交点（なまし鉄線で結束）
４  螺旋筋と軸方向筋に嵌め込まれたプラスチックスペイサー
５  大径の遠心力竹筋コンクリート管
６  小径の遠心力竹筋コンクリート管
７  大径の遠心力竹筋コンクリート管に開ける穿孔
８  大径管と小径管を固定するための堅木の楔
【図１】
2005022393.tif 000003
【図２】
2005022393.tif 000004
【図３】
2005022393.tif 000005
【図４】
2005022393.tif 000006